(57)【特許請求の範囲】
【請求項１】
ラインと、このラインの末端に固定された捕獲用針と、この捕獲用針の上方のライン上を摺動して自在に移動可能な摺動部材と、この摺動部材にハリスの一端が固定された釣針および／または疑似針と、前記摺動部材をラインの所定の箇所に一時係止する係止部材とを備えた複合釣具であって、前記釣針および／または疑似針に魚などがかかるとその引きにより前記係止部材から前記摺動部材が外れ、前記摺動部材が下方にライン上を摺動して前記捕獲用針近傍まで移動することにより魚などが前記捕獲用針にかかって確実に捕獲できるようにしたことを特徴とする複合釣具。
【請求項２】
前記係止部材をラインに固定したことを特徴とする請求項１記載の複合釣具。
【請求項３】
前記係止部材に貫通孔を設け、この貫通孔にラインを通してライン上を摺動して自在に移動可能とし、この係止部材の先端を前記摺動部材とライン間に挿入して前記摺動部材をラインの所定の箇所に一時係止するようにしたことを特徴とする請求項１記載の複合釣具。
【請求項４】
前記係止部材の形状が円錐形であり、この円錐形の頂点から底面にほぼ垂直に前記貫通孔を設けたことを特徴とする請求項３記載の複合釣具。
【請求項５】
前記係止部材がゴム、熱可塑性エラストマーなどの柔軟性のある材料からなることを特徴とする請求項３あるいは請求項４記載の複合釣具。
【請求項６】
複数の針を備えた鉤針からなる捕獲用針を１つ以上設けたことを特徴とする請求項１から請求項５のいずれかに記載の複合釣具。
【発明の詳細な説明】
【０００１】
【発明の属する技術分野】
本発明は複合釣具に関するものである。
【０００２】
【従来の技術】
従来、釣果を上げるために、ハリスはなるべく細いものを用い、釣針はなるべく小さいものが用いられているが、大きな魚や烏賊などがかかった場合、捕獲する前に細いハリスが切れて逃がしてしまい捕獲できない問題があった。
【０００３】
【発明が解決しようとする課題】
本発明の目的は、細いハリスを用いても大きな魚や烏賊などを確実に捕獲できて釣果を上げることができる複合釣具を提供することである。
【０００４】
【課題を解決するための手段】
本発明者はかかる問題について鋭意研究した結果、ハリスはなるべく細いものを用い、このハリスに固定した釣針や疑似針もなるべく小さいものを用いるが、この小さな釣針や疑似針にかかった大きな魚などが直ちに太いライン（道糸）の末端に別に設けた捕獲用針にかかるようにすれば確実に捕獲できることを見いだし、本発明を成すに到った。
【０００５】
すなわち、本発明の請求項１の発明は、ラインと、このラインの末端に固定された捕獲用針と、この捕獲用針の上方のライン上を摺動して自在に移動可能な摺動部材と、この摺動部材にハリスの一端が固定された釣針および／または疑似針と、前記摺動部材をラインの所定の箇所に一時係止する係止部材とを備えた複合釣具であって、前記釣針および／または疑似針に魚などがかかるとその引きにより前記係止部材から前記摺動部材が外れ、前記摺動部材が下方にライン上を摺動して前記捕獲用針近傍まで移動することにより魚などが前記捕獲用針にかかって確実に捕獲できるようにしたことを特徴とする複合釣具である。
【０００６】
本発明の請求項２の発明は、請求項１記載の複合釣具において、前記係止部材をラインに固定したことを特徴とする。
【０００７】
本発明の請求項３の発明は、請求項１記載の複合釣具において、前記係止部材に貫通孔を設け、この貫通孔にラインを通してライン上を摺動して自在に移動可能とし、この係止部材の先端を前記摺動部材とライン間に挿入して前記摺動部材をラインの所定の箇所に一時係止するようにしたことを特徴とする。
【０００８】
本発明の請求項４の発明は、請求項３記載の複合釣具において、前記係止部材の形状が円錐形であり、この円錐形の頂点から底面にほぼ垂直に前記貫通孔を設けたことを特徴とする。
【０００９】
本発明の請求項５の発明は、請求項３あるいは請求項４記載の複合釣具において、前記係止部材がゴム、熱可塑性エラストマーなどの柔軟性のある材料からなることを特徴とする。
【００１０】
本発明の請求項６の発明は、請求項１から請求項５のいずれかに記載の複合釣具において、複数の針を備えた鉤針からなる捕獲用針を１つ以上設けたことを特徴とする。
【００１１】
【発明の実施の形態】
以下、本発明の複合釣具の実施例を図１〜図５に示す図面に基づいてさらに詳細に説明する。
図１（ａ）（ｂ）は、本発明の複合釣具の一実施の形態を示すものである。複合釣具１は、ライン２と、このライン２の末端に固定された捕獲用針３と、この捕獲用針３の上方のライン２上を摺動して自在に移動可能な摺動部材４と、この摺動部材４にハリス５の端部６が固定された釣針７と、摺動部材４をライン２の所定の箇所に一時係止するための、ライン２に固定された係止部材８とを備えている。
【００１２】
捕獲用針３はかかった大きな魚などを確実に捕獲できるものであればどんなタイプのものでも使用でき、魚などの種類や大きさになどに適した形状、大きさ、使用個数などを選定することが好ましい。図１（ａ）に示した複数の針ア、イ、ウ・・・を備えた鉤針は魚体にささって確実に捕獲できるので好ましく使用できる。
【００１３】
摺動部材４はライン２上を摺動して自在に移動可能なものであれば材質、形状などはとくに限定されないが、通常はゴム、プラステイック、木、金属などで作られたチューブ状パイプが好ましく用いられ、このパイプの内部の穴にライン２を通して用いられる。この摺動部材４に摺動を妨げないように釣針７のハリス５の一端部６がしっかりと固定される。釣針７は１つ用いても、１つ以上複数用いてもよく、また釣針７とともに疑似針を用いたり、釣針７の替わりに疑似針を用いてもよい。
【００１４】
係止部材８は摺動部材４をライン２の所定の箇所に一時係止可能なものであれば材質、形状などはとくに限定されないが、通常は木、ゴム、プラステイック、金属などで作られ、そして図１（ｂ）に示したように、先端９が先細り形状になっており、係止部材８の他端１０にライン２に係止部材８を固定するための糸１１などを巻き付け固定するための溝１２を設けたものが繰り返し使用できるなどの理由で好ましく使用できる。
【００１５】
図２（ａ）（ｂ）は、本発明の複合釣具の他の実施の形態を示すものである。複合釣具１Ａの係止部材８Ａにはライン２を通すための貫通孔１３が設けられており、この貫通孔１３にライン２を通してライン２上を摺動して自在に移動可能にしてある。係止部材８Ａの形状、大きさなどは特に限定されないが、円錐形の形状をしたもので、図２（ｂ）に示したように、その頂点８Ｂから底面８Ｃにほぼ垂直に貫通孔１３が設けられている係止部材８Ａは好ましく使用できる。
この係止部材８Ａの先端を摺動部材４とライン２の間に挿入して摺動部材４をライン２の所定の箇所に一時係止する。この係止部材８Ａの材質は特に限定されないが合成ゴム、天然ゴム、オレフィン系熱可塑性エラストマーなどの熱可塑性エラストマーなど柔軟性のある材料は好ましく使用できる。
摺動部材４が係止部材８Ａから離れた後、係止部材８Ａはライン２の元の位置に留まっていた方が次に摺動部材４をすばやく係止できるなどの理由から好ましい場合は、係止部材８Ａの材質、形状、大きさなどを適宜選定すると共に、前記貫通孔１３の内径をライン２の外径とほぼ同じかあるいはほんの少し大きくして摺動抵抗がでるように設計することが好ましい。
【００１６】
図３（イ）〜（ニ）は、本発明の複合釣具１Ａの作用効果を説明する説明図である。
（イ）は、釣針７に餌あるいは生き餌１４を付け、係止部材８Ａの先端を摺動部材４とライン２の間に挿入して摺動部材４をライン２の所定の箇所に一時係止して釣りを開始したところ、大きな魚１５がやってきた状態を示す。
（ロ）は、餌あるいは生き餌１４を大きな魚１５がくわえた状態を示す。
（ハ）は、餌あるいは生き餌１４をくわえた大きな魚１５が針掛かりして逃げようとすると、その引きにより係止部材８Ａから摺動部材４が外れ、摺動部材４が下方にライン２上を摺動した状態を示す。
（ニ）は、摺動部材４が捕獲用針３近傍まで移動すると魚１５がライン２の末端に固定した捕獲用針３にかかって確実に捕獲された状態を示す。
上記（イ）に示したように、一時係止した摺動部材４と釣針７との間のハリス５の長さＬ１はあまり長いと魚１５が捕獲用針３にかかりにくくなり、あまり短いと魚１５が警戒する恐れがあるので、Ｌ１は一時係止した摺動部材４と捕獲用針３との間の距離Ｌ２より短くして、魚の種類や大きさなどに応じて例えばＬ１はＬ２の約１／２としたり、あるいはＬ１はＬ２の約１／３とするなどして適宜決めることが好ましい。
このようにしてハリス５は細いものを用い、釣針７もなるべく小さいものを用いるが、この小さな釣針７にかかった大きな魚１５がすぐに太いライン２の末端に固定して設けた捕獲用針３にかかるので大きな魚の強い引きによりハリス５が切断されることなく確実に捕獲できる。上記（イ）〜（ニ）を素早く繰り返すことにより釣果を上げることができる。
【００１７】
図４は、複数の釣針７、７を摺動部材４に備えた本発明の他の複合釣具１Ｂの説明図である。釣針７を複数備えればさらに釣果を上げることが可能になる。
【００１８】
図５は、複数の捕獲用針３、３をライン２の末端に備えた本発明の他の複合釣具１Ｃの説明図である。捕獲用針３を複数備えたことによりさらに確実に魚などを捕獲することが可能になる。
【００１９】
以上、本発明の複合釣具の実施例を示したが、本発明はこれに限定されず各種の変形実施態様を包含するものである。
【００２０】
【発明の効果】
本発明の複合釣具は、細いハリスを用いても大きな魚や烏賊などを確実に捕獲でき、釣果を上げることができる。
【図面の簡単な説明】
【図１】  （ａ）は本発明の複合釣具の一実施の形態を示す説明図であり、（ｂ）は（ａ）に示した係止部材の説明図である。
【図２】  （ａ）は本発明の他の複合釣具の実施の形態を示す説明図であり、（ｂ）は（ａ）に示した係止部材の説明図である。
【図３】  （イ）は、釣りを開始したところ、大きな魚がやってきた状態を示し、（ロ）は、餌を大きな魚がくわえた状態を示し、（ハ）は、魚が針掛かりして逃げようとすると、その引きにより係止部材が外れ、摺動部材が下方にライン上を摺動した状態を示し、（ニ）は、魚が捕獲用針にかかって確実に捕獲された状態を示す。
【図４】  複数の釣針を摺動部材に備えた本発明の他の複合釣具の説明図である。
【図５】  複数の捕獲用針をラインの末端に備えた本発明の他の複合釣具１Ｃの説明図である。
【符号の説明】
１、１Ａ、１Ｂ、１Ｃ  複合釣具
２  ライン
３  捕獲用針
４  摺動部材
５  ハリス
６  端部
７  釣針
８、８Ａ  係止部材
１３  貫通孔
１４  餌あるいは生き餌
１５  魚
【図１】
0003772284.tif 000002
【図２】
0003772284.tif 000003
【図３】
0003772284.tif 000004
【図４】
0003772284.tif 000005
【図５】
0003772284.tif 000006